(57)【要約】【課題】容易に装着することができ、また、様々な耳のサイズに容易に対応することができるイヤリングを提供する。【解決手段】イヤリング１は、イヤリング本体２とこのイヤリング本体２に取り付けられた弾性具１０とから構成されている。イヤリング本体２は、両端部３，４に間隙が形成されるように折り曲げられた形状であり、一方端部３には拡径部が形成されている。また、弾性具１０は、弾性を具備した部材であり、イヤリング本体２の一方端部３が挿入される取付穴１２と、この取付穴１２の軸線に沿い、且つ取付穴１２の内周面に開口した状態で対向する２つのスリット孔１３ａ，１３ｂとが形成されている。【選択図】図１
0003181472.tif 000002
【実用新案登録請求の範囲】
【請求項１】
両端部間に間隙が形成されるように折り曲げられた軸状の部材を含み、前記両端部間で耳を挟持するように構成されたイヤリングにおける、少なくとも一方の端部に取り付けられる弾性を具備したイヤリング用弾性具であって、
前記イヤリングの端部が挿入可能に形成された取付穴と、
前記取付穴の軸線に沿い、且つ前記取付穴の内周面に開口するように形成された少なくとも１つのスリット孔とを備えており、
前記スリット孔は、その幅が前記取付穴の直径よりも小さく形成されていることを特徴とするイヤリング用弾性具。
【請求項２】
前記スリット孔が、対向するように２つ形成されていることを特徴とする請求項１記載のイヤリング用弾性具。
【請求項３】
前記取付穴は、その内径が該取付穴に挿入されるイヤリング端部の直径の１／６倍〜１／３倍であることを特徴とする請求項１又は２記載のイヤリング用弾性具。
【請求項４】
前記取付穴が非貫通穴であることを特徴とする請求項１乃至３記載のいずれかのイヤリング用弾性具。
【請求項５】
両端部間に間隙が形成されるように折り曲げられた軸状の部材を含み、前記両端部間で耳を挟持するように構成され、前記両端部のうちの少なくとも一方の端部に弾性具が取り付けられたイヤリングであって、
前記弾性具は、
前記イヤリングの端部が挿入可能に形成された取付穴と、
前記取付穴の軸線に沿い、且つ前記取付穴の内周面に開口するように形成された少なくとも１つのスリット孔とを備えており、
前記スリット孔は、その幅が前記取付穴の直径よりも小さく形成されていることを特徴とするイヤリング。
【請求項６】
前記弾性具が取り付けられる端部の直径が前記取付穴の直径よりも大径であることを特徴とする請求項５記載のイヤリング。
【請求項７】
前記取付穴は、その内径が前記弾性具が取り付けられる端部の直径の１／６倍〜１／３倍であることを特徴とする請求項５又は６記載のイヤリング。
【請求項８】
前記弾性具が取り付けられる端部は、径方向に膨出した拡径部を有していることを特徴とする請求項５乃至７記載のいずれかのイヤリング。
【請求項９】
前記スリット孔が、対向するように２つ形成されていることを特徴とする請求項５乃至８記載のいずれかのイヤリング。
【請求項１０】
前記取付穴が非貫通穴であることを特徴とする請求項５乃至９記載のいずれかのイヤリング。
【考案の詳細な説明】
【技術分野】
【０００１】
本考案は、耳に挟むように装着されるイヤリングに関し、特に、イヤリングに取り付ける弾性具及びこれを備えたイヤリングに関する。
【背景技術】
【０００２】
前記イヤリングには、耳に穿孔したピアスホールに本体の一部を貫通させて取り付けるタイプのものと、留め具などで耳を挟んで押さえつけるようにして耳に固定するタイプのものとがあり、後者のイヤリングは、耳にピアスホールを穿孔する必要がなく、手軽に身に付けることができるため、多くの人に重宝されている。以下、「イヤリング」といった場合には、後者のイヤリングを指すものとする。
【０００３】
従来、上記イヤリングにおける耳を挟んで押さえつける方法としては、ねじを締め付けて留め具を耳に押し当てる方法や、ばねによって留め具を耳に押し当てる方法が採用されていた。しかしながら、これらの方法を採用した場合、ねじ機構やばね機構を設ける必要があるため、構造が複雑になって製造コストが増加するという問題、装飾品であるにもかかわらず、ねじ機構などによって美的外観が損なわれるという問題があった。
【０００４】
そこで、複雑な構造を設けることなく、耳を挟んで押さえつけるようにして耳に固定することができるイヤリングとして、例えば、特開平１０−９９１１０号公報に開示されたイヤリングが提案されている。
【０００５】
このイヤリングは、軸状部材の先端部と後端部とを対向するように折り曲げた形状であり、対向させた先端部と後端部との間に間隙を設けて開口部を形成したイヤリング本体と、イヤリング本体の先端部及び後端部の位置、且つ先端部と後端部とを対向するように折り曲げた形状におけるイヤリング本体の内周側になる位置に配設された突起部とを備えており、前記開口部の間隙は、耳たぶを開口部に通した際に先端部と後端部とで耳たぶを軽く挟める程度の幅となっている。
【０００６】
このイヤリングによれば、手で耳たぶを引っ張って耳たぶの肉厚を薄くした状態で、耳の付け根の最も肉厚の薄くなった部分に開口部を近づけ、イヤリング本体の先端部と後端部とで耳たぶを挟むように開口部の間隙に耳たぶを通し、イヤリング本体を耳たぶの所望の位置まで移動させる。その後、耳たぶから手を放すことで、耳たぶの肉厚が元の厚さまで戻り、イヤリングが耳に固定される。
【０００７】
このように、上記イヤリングにおいては、先端部と後端部とで耳たぶを挟んでイヤリングを耳に装着するようにしており、ねじ機構やばね機構を必要とせず、イヤリング自体の構造が比較的単純であるため、製造コストを抑えることができ、また、装飾品としての美的外観を損なうようなこともない。
【先行技術文献】
【特許文献】
【０００８】
【特許文献１】特開平１０−９９１１０号公報
【考案の概要】
【考案が解決しようとする課題】
【０００９】
ところが、上記イヤリングにおいては、耳の付け根の最も薄くなった部分から開口部の間隙に耳たぶを通して、所定の位置にまで移動させなければイヤリングを耳に装着することができず、その装着作業が煩雑であるため、耳への装着のし易さという観点において不十分である。
【００１０】
また、装着者の耳のサイズには個人差があるため、各人の耳のサイズに合わせて開口部の間隙の幅を調整しなければならないが、上記従来のイヤリングにおいては、開口部の幅の調整に手間が掛かるという問題点もある。
【００１１】
本考案は、以上の実情に鑑みなされたものであって、容易に装着することができ、また、様々な耳のサイズに容易に対応することができるイヤリングの提供を、その目的とする。
【課題を解決するための手段】
【００１２】
上記課題を解決するための本考案は、イヤリング用弾性具及びこれを備えたイヤリングに関し、
上記イヤリング用弾性具は、
両端部間に間隙が形成されるように折り曲げられた軸状の部材を含み、前記両端部間で耳を挟持するように構成されたイヤリングにおける、少なくとも一方の端部に取り付けられる弾性を具備したイヤリング用弾性具であって、
前記イヤリングの端部が挿入可能に形成された取付穴と、
前記取付穴の軸線に沿い、且つ前記取付穴の内周面に開口するように形成された少なくとも１つのスリット孔とを備えており、
前記スリット孔は、その幅が前記取付穴の直径よりも小さく形成されている。
【００１３】
また、上記イヤリングは、
両端部間に間隙が形成されるように折り曲げられた軸状の部材を含み、前記両端部間で耳を挟持するように構成され、前記両端部のうちの少なくとも一方の端部に弾性具が取り付けられたイヤリングであって、
前記弾性具は、
前記イヤリングの端部が挿入可能に形成された取付穴と、
前記取付穴の軸線に沿い、且つ前記取付穴の内周面に開口するように形成された少なくとも１つのスリット孔とを備えており、
前記スリット孔は、その幅が前記取付穴の直径よりも小さく形成されている。
【００１４】
本考案に係るイヤリングによれば、まず、イヤリングの端部のうち、少なくとも一方の端部に弾性具を取り付けて、弾性具と他方の端部との間の間隙の幅を、弾性具及び他方の端部で耳を挟持できる程度の幅に調整する。尚、この際、装着者の耳の厚みに合わせて、サイズや取付穴の深さが適切な弾性具をイヤリングの端部に取り付けるようにする。
【００１５】
その後、イヤリングを固定したい位置の下方から弾性具と他方端部との間の間隙を通してイヤリングの環内に耳を進入させ、所定の位置までイヤリングを移動させる。尚、この際、弾性具にスリット孔が設けられていることによって、当該弾性具が端部の軸と交差する方向に揺動するようになっており、イヤリングの環内に耳を進入させ易く、また、端部に取り付けられた弾性具及びイヤリングの他方端部と耳とが接触した状態であっても、移動させる際の力によって弾性具が揺動して、所定の位置までイヤリングがスムーズに移動する。斯くして、イヤリングが所定の位置で固定された状態で耳に装着される。
【００１６】
このように、本考案によれば、サイズや取付穴の深さが異なる弾性具を適宜選択して取り付けるだけで、弾性具と他方端部の間隙の幅を調整することができ、様々なサイズの耳に装着することが可能になる。
【００１７】
また、弾性具にスリット孔を設けたことにより、様々な軸径を有する端部を挿入することができる。更に、取付穴にイヤリングの端部を挿入し易く、弾性具がイヤリング端部の軸と交差する方向に揺動するため、弾性具と他方端部との間の間隙を通してイヤリングの環内に耳を進入させ易く、弾性具と耳とが接触した状態においても所定の位置までイヤリングをスムーズに移動させることができ、イヤリングの装着作業を容易に行うことができる。
【００１８】
また、耳と弾性具とが接触した状態でイヤリングを耳に固定するようになっており、耳と弾性具との間に作用する摩擦力が比較的大きいため、耳に固定したイヤリングの脱落が防止される。
【００１９】
尚、前記イヤリング本体における弾性具が取り付けられる端部は、その直径が取付穴の直径よりも大径であることが好ましく、具体的には、端部の直径に対して、取付穴の直径が１／６倍〜１／３倍となるようにすることが好ましい。このようにすれば、取付穴へのイヤリング端部の挿入を容易に行うことができ、且つ挿入されたイヤリング端部が取付穴から容易に脱落してしまうのを防止することができる。また、弾性具が取り付けられる端部に径方向に膨出した拡径部有するようにしても良く、このようにしても、同様の効果を奏する。
【００２０】
また、前記スリット孔は、対向するように２つ形成されていることが好ましい。このようにすれば、弾性具が揺動し易くなるため、よりスムーズにイヤリングを所定の位置まで移動させることができる。
【００２１】
尚、前記取付穴が貫通穴である場合には、耳と弾性具との接触面積が減少し、両者の間に作用する摩擦力が低下する。したがって、耳と弾性具との間に適切な摩擦力が作用する接触面積を確保するために、前記取付穴は非貫通穴であることが好ましい。
【考案の効果】
【００２２】
以上のように、本考案のイヤリング用弾性具及びこれを備えたイヤリングによれば、装着し易く、その装着作業も容易に行うことができるとともに、様々な耳のサイズに容易に対応することができる。また、イヤリングが耳から脱落するのを防止することができる。
【図面の簡単な説明】
【００２３】
【図１】本考案の一実施形態に係るイヤリングを示した平面図である。
【図２】一実施形態に係るイヤリング本体を示した平面図である。
【図３】（ａ）は本考案の一実施形態に係る弾性具を示した平面図であり、（ｂ）は（ａ）における矢視Ａ方向から見た側面図である。
【図４】耳にイヤリングを装着する手順を説明するための説明図である。
【図５】本考案の他の実施形態に係るイヤリング本体を示した平面図である。
【図６】他の実施形態に係るイヤリング本体に弾性具を取り付けた状態を示した平面図である。
【考案を実施するための形態】
【００２４】
以下、本考案の具体的な実施形態について、添付図面に基づき説明する。
【００２５】
図１に示すように、本例のイヤリング１は、イヤリング本体２と当該イヤリング本体２に取り付けられた弾性具１０とから構成されている。
【００２６】
前記イヤリング本体２は、図２に示すように、両端部３，４間に間隙５が形成されるようにＣ字状に折り曲げられた軸状の部材からなり、前記両端部３，４の先端面は円弧状に形成され、また、前記端部３，４のうち、一方の端部３には、径方向に膨出した拡径部３ａ（一点鎖線で示した領域）が形成されている。
【００２７】
前記弾性具１０は、弾性を有し、球体の一部が切り欠かれた形状をした部材であって、切欠面１１に開口した非貫通穴である取付穴１２と、当該取付穴１２の軸線に沿い、且つ取付穴１２の内周面に開口した状態で対向する２つのスリット孔１３ａ，１３ｂとが形成されている。前記取付穴１２は、その内径Ｄ２（図３参照）が前記イヤリング本体２の一方端部３における拡径部３ｂの直径Ｄ１（図２参照）よりも小さく形成され、２つのスリット孔１３ａ，１３ｂは、その底部間の長さＤ３（図３参照）が前記拡径部３ｂの直径Ｄ１よりも大きくなるように形成されている。尚、取付穴１２への一方端部３の挿入を容易にし、且つ挿入された一方端部３の脱落を防止するという観点から、前記取付穴１２の内径Ｄ２は、前記イヤリング本体２の一方端部３における拡径部３ａの直径Ｄ１の１／６倍〜１／３倍となるようにすることが好ましい。
【００２８】
斯くして、前記イヤリング本体２の一方の端部３が前記取付穴１２に挿入されることで、イヤリング本体２に弾性具１０が取り付けられる。尚、イヤリング１における、弾性具１０と他方端部４との間の間隙１５の幅は、装着者の耳の厚みに応じて、サイズや取付穴１２の深さが異なる種々の弾性具１０を取り付けることで調整する。
【００２９】
次に、以上の構成を備えた本例のイヤリング１を耳に装着する手順について、図４を参照しつつ説明する。
【００３０】
まず、耳Ｍにおけるイヤリング１の固定位置を決め、この固定位置の下方から耳Ｍに向けて前記弾性具１０と他方端部４との間の間隙１５を近づける（図４（ａ）参照）。ついで、イヤリング１の環内に耳Ｍを進入させる方向にイヤリング１を移動させる（図４（ｂ）参照）。この際、取付穴１２の軸線に沿ってスリット孔１３ａ，１３ｂが形成されているため、弾性具１０が一方端部３の軸と交差する方向に揺動し、図４（ｂ）中の矢印の方向に弾性具が動きながら、徐々に耳Ｍがイヤリング１の環内に進入していく。
【００３１】
その後、更にイヤリング１を移動させ、当該イヤリング１を前記固定位置に位置させる（図４（ｃ）参照）。このようにして、イヤリング１は前記固定位置で固定された状態で耳Ｍに装着される。
【００３２】
このように、本例のイヤリング１は、サイズや取付穴１２の深さが異なる弾性具１０を一方端部３に取り付けるようにするだけで、弾性具１０と他方端部４との間の間隙１５の幅を容易に変えることができるため、様々なサイズの耳Ｍへの装着に容易に対応することができる。更に、弾性具１０に、取付穴１２の軸線に沿ったスリット孔１３ａ，１３ｂを設けたことによって、取付穴１２に一方端部３を挿入し易く、また、当該弾性具１０が一方端部３の軸と交差する方向に揺動するため、イヤリング１の環内に耳Ｍを進入させ易く、弾性具１０が動きながら徐々に耳Ｍがイヤリング１の環内に進入し、弾性具１０と耳Ｍとが接触した状態においても所定の固定位置までイヤリング１をスムーズに移動させることができるため、イヤリング１の装着作業を容易なものにすることができる。
【００３３】
また、耳Ｍと弾性具１０とが接触した状態でイヤリング１を耳Ｍに固定し、耳Ｍと弾性具１０との間に比較的大きな摩擦力が作用するようにしたことで、耳Ｍに固定したイヤリング１の脱落を防止することができる。
【００３４】
以上、本考案の一実施形態について説明したが、本考案の採り得る態様は何らこれに限定されるものではない。
【００３５】
例えば、上例においては、一方端部３にのみ弾性具１０を取り付けるようにしているが、他方端部４にも同様に拡径部を形成し、弾性具１０を取り付けるようにしても良い。このようにしても、相応の効果を得ることができる。
【００３６】
また、上例においては、一方端部３に拡径部３ａを形成するようにしたが、必ずしも拡径部３ａを形成する必要はなく、一方端部３が弾性具１０の取付穴１２に挿入可能であれば良い。
【００３７】
更に、本例では、弾性具１０の形状を略球状としたが、弾性具１０をイヤリング本体２の一方端部３に取り付けた際に、弾性具１０と他方端部４とで耳を挟持できる形状であれば、どのような形状であっても良い。
【００３８】
また、上例は、２つのスリット孔１３ａ，１３ｂを設けた態様としたが、スリット孔の数はこれに限られるものではなく、１つのみ設けるようにしても良いし、３つ以上設けるようにしても良い。尚、スリット孔の数を増やすと、取付穴１２に挿入されたイヤリング本体２の一方端部３が揺動し易くなるが、スリット孔の数を増やし過ぎると一方端部３が取付穴１２から脱落し易くなる。したがって、一方端部３が揺動し易く、且つ取付穴１２から脱落し難くなるような数のスリット孔を設けることが好ましい。
【００３９】
更に、上例においては、取付穴１２を非貫通穴としたが、耳との接触面積を適切に確保できるのであれば、取付穴１２は貫通穴であっても良い。
【００４０】
また、上例において、イヤリング本体２は、Ｃ字状に折り曲げられた比較的単純な形状としたが、これに限られるものではなく、図５に示すように、複雑な装飾部を含んだ形状のイヤリング本体２’であっても良い。このイヤリング本体２’は、一方端部３’側と他方端部４’側との間に間隙が形成されるように折り曲げられた軸状の部材であり、前記一方端部３’の先端に球状の拡径部３ａ’が形成され、他方端部４’側には、軸状の部材が複雑に折り曲げられた装飾部４ａ’が形成されている。そして、図６に示すように、このイヤリング本体２’の一方端部３’に弾性具１０が取り付けられてイヤリング１’となる。
【００４１】
このイヤリング１’によれば、同様に、弾性具１０と他方端部４’との間の間隙から耳を進入させて、所定の固定位置まで移動させることで、耳にイヤリング１’が固定される。このようにしても、上記と同様に相応の効果を奏する。
【符号の説明】
【００４２】
１，１’  イヤリング
２，２’  イヤリング本体
３，３’  一方端部
３ａ，３ａ’  拡径部
４，４’  他方端部
４ａ’    装飾部
５        間隙
１０      弾性具
１２      取付穴
１３ａ，１３ｂ  スリット孔
１５      間隙
Ｍ        耳
【図１】
0003181472.tif 000003
【図２】
0003181472.tif 000004
【図３】
0003181472.tif 000005
【図４】
0003181472.tif 000006
【図５】
0003181472.tif 000007
【図６】
0003181472.tif 000008